(57)【特許請求の範囲】
【請求項１】
撮像手段と、
この撮像手段の撮影画像領域を複数の撮影エリアに分割する分割手段と、
この分割手段によって分割された状態を反映させた境界線を前記撮影画像領域で順次撮像される画像とともに表示する表示手段と、
この表示手段によって順次表示されている画像のうち、前記分割手段によって分割された一の撮影エリアに対応する画像についての撮影操作を検出する第１の検出手段と、
この第１の検出手段によって撮影操作が検出されると、前記撮像画像領域に順次撮像されている画像のうち前記一の撮影エリアで撮像された画像を切り出して一時保存するとともに、前記撮像画像領域に順次撮像されている画像のうち前記分割手段によって分割された他の撮影エリアに対応する画像を撮影すべき画像として順次表示するよう前記表示手段を制御する制御手段と、
この制御手段によって表示された状態で、前記他の撮影エリアに対応する画像についての撮影操作を検出する第２の検出手段と、
この第２の検出手段によって撮影操作が検出されると、前記撮像画像領域に順次撮像されている画像のうち前記他の撮影エリアで撮像された画像を切り出すとともに、この切り出された画像と前記制御手段によって一時保存された一の撮影エリアの画像とを合成し、前記撮像画像領域で撮像された画像として前記表示手段に表示するよう制御する表示制御手段と、
この表示制御手段によって合成された画像を記録する記録手段と
を備えたことを特徴とする電子カメラ。
【請求項２】
前記境界線の移動の指示を検出する第３の検出手段と、
この第３の検出手段によって移動指示された境界線の位置に応じて、前記分割手段による前記撮影画像領域の分割を設定する設定手段と
を更に備えたことを特徴とする請求項１記載の電子カメラ。
【請求項３】
前記制御手段は、前記分割手段によって分割された他の撮影エリアに対応する画像を撮影すべき画像として順次表示するとともに、前記一時保存した画像を前記一の撮影エリアに表示するよう前記表示手段を制御することを特徴とする請求項１又は２記載の電子カメラ。
【請求項４】
前記制御手段は、前記撮像画像領域に順次撮像されている画像のうち前記一の撮影エリアで撮像された画像を順次切り出して複数のコマからなる動画として一時保存するとともに、
前記表示制御手段は、前記撮像画像領域に順次撮像されている画像のうち前記他の撮影エリアで撮像された画像を順次切り出して複数のコマからなる動画を生成するともに、この生成された動画と前記制御手段によって一時保存された一の撮影エリアの動画とを合成することを特徴とする請求項１乃至３のいずれか記載の電子カメラ。
【請求項５】
前記一の撮影エリアに対応する画像についての撮影終了を検出する第４の検出手段と、
前記第１の検出手段による撮影操作の検出から前記第４の検出手段による撮影終了の検出までの時間を動画の撮影時間として記憶する撮影時間記憶手段と、
前記第２の検出手段による撮影操作の検出の後、前記撮影時間記憶手段に記憶された撮影時間に達すると、前記他の撮影エリアに対応する画像についての撮影を終了するよう制御する撮影制御手段と
を更に備えたことを特徴とする請求項４に記載の電子カメラ。
【請求項６】
撮像部の撮影画像領域を複数の撮影エリアに分割する分割ステップと、
この分割ステップにて分割された状態を反映させた境界線を前記撮影画像領域で順次撮像される画像とともに表示部に表示させる第１の制御ステップと、
この第１の制御ステップにて順次表示されている画像のうち、前記分割ステップにて分割された一の撮影エリアに対応する画像についての撮影操作を検出する第１の検出ステップと、
この第１の検出ステップにて撮影操作が検出されると、前記撮像画像領域に順次撮像されている画像のうち前記一の撮影エリアで撮像された画像を切り出して第１のメモリに一時保存するとともに、前記撮像画像領域に順次撮像されている画像のうち前記分割ステップにて分割された他の撮影エリアに対応する画像を撮影すべき画像として前記表示部に順次表示するよう制御する第２の制御ステップと、
この第２の制御ステップにて表示された状態で、前記他の撮影エリアに対応する画像についての撮影操作を検出する第２の検出ステップと、
この第２の検出ステップにて撮影操作が検出されると、前記撮像画像領域に順次撮像されている画像のうち前記他の撮影エリアで撮像された画像を切り出すとともに、この切り出された画像と前記第２の制御ステップにて一時保存された一の撮影エリアの画像とを合成し、前記撮像画像領域で撮像された画像として前記表示部に表示するよう制御する第３の制御ステップと、
この第３の制御ステップにて合成された画像を第２のメモリに記録する記録ステップと
からなることを特徴とする撮影記録方法。
【請求項７】
撮像部、表示部、第１のメモリ、及び、第２のメモリを具備する電子カメラが有するコンピュータを、
前記撮像部の撮影画像領域を複数の撮影エリアに分割する分割手段、
この分割手段によって分割された状態を反映させた境界線を前記撮影画像領域で順次撮像される画像とともに前記表示部に表示させる第１の制御手段、
この第１の制御手段によって順次表示されている画像のうち、前記分割手段によって分割された一の撮影エリアに対応する画像についての撮影操作を検出する第１の検出手段、
この第１の検出手段によって撮影操作が検出されると、前記撮像画像領域に順次撮像されている画像のうち前記一の撮影エリアで撮像された画像を切り出して前記第１のメモリに一時保存するとともに、前記撮像画像領域に順次撮像されている画像のうち前記分割手段によって分割された他の撮影エリアに対応する画像を撮影すべき画像として前記表示部に順次表示するよう制御する第２の制御手段、
この第２の制御手段によって表示された状態で、前記他の撮影エリアに対応する画像についての撮影操作を検出する第２の検出手段、
この第２の検出手段によって撮影操作が検出されると、前記撮像画像領域に順次撮像されている画像のうち前記他の撮影エリアで撮像された画像を切り出すとともに、この切り出された画像と前記第２の制御手段によって一時保存された一の撮影エリアの画像とを合成し、前記撮像画像領域で撮像された画像として前記表示部に表示するよう制御する第３の制御手段、
この第３の制御手段によって合成された画像を前記第２のメモリに記録する記録手段
として機能させることを特徴とするプログラム。
【発明の詳細な説明】
【０００１】
【発明の属する技術分野】
本発明は、例えば記念撮影に用いて好適な電子カメラ、撮影記録方法、及び、プログラムに関する。
【０００２】
【従来の技術】
現在、電子カメラ（デジタルスチルカメラ）においては、撮影技術の有無に関係なく、簡単な操作で質の高い写真が撮れるよう各種の機能が設けられている。
例えばＡＥ（自動合焦制御）、ＡＥ（自動露出制御）、ＡＷＢ（オートホワイトバランス）、撮影シーンに適した撮影条件（シャッタースピード、絞り、ホワイトバランス等）の自動設定といった機能がそうである。さらに、電子カメラでは、銀塩カメラと異なる特性を生かした機能、例えば静止画だけでなく連続撮影による動画記録を可能とする動画撮影機能を備えたものも一般的となっており、カメラとしての機能の向上はもとより、従前の銀塩カメラでは得られない機能についても拡大される傾向にある。
【０００３】
【発明が解決しようとする課題】
しかしながら、上記のように使い勝手の向上や機能の多様化が進んでいるものの、電子カメラにおいて「写真を撮る」といった基本的な機能を考えると、次のような問題があった。すなわち、人物を撮影するとき、通常、撮影する者は写真に写らないことから、例えば観光地で記念写真を撮る場合、友人や仲間、家族などの全員が写った写真を得るには、その場に居合わせた第三者にシャッター操作を依頼したり、三脚を用いたセルフタイマ（又はリモコン）による撮影操作を行う必要があった。つまり前者では、他人の手を煩わせることから、相手に対してそれなりの気遣いも必要となり、しかも第三者が居合わせない場所では撮影ができない。また後者では、予め三脚を用意しておく必要があり、さらに撮影時以外ではそれが荷物となる。したがって、使い勝手の向上や機能の多様化が進んでいるものの、記念撮影等を行う際には銀塩カメラ以来の不便さが依然として解消されていない現状にある。
【０００４】
本発明は、かかる実情に鑑みなされたものであり、記念撮影等を行う際の不便さを解消することができる電子カメラ及び撮影記録方法と、それを実現するためのプログラムを提供することを目的とする。
【０００５】
【課題を解決するための手段】
前記課題を解決するために請求項１記載の発明にあっては、撮像手段と、この撮像手段の撮影画像領域を複数の撮影エリアに分割する分割手段と、この分割手段によって分割された状態を反映させた境界線を前記撮影画像領域で順次撮像される画像とともに表示する表示手段と、この表示手段によって順次表示されている画像のうち、前記分割手段によって分割された一の撮影エリアに対応する画像についての撮影操作を検出する第１の検出手段と、この第１の検出手段によって撮影操作が検出されると、前記撮像画像領域に順次撮像されている画像のうち前記一の撮影エリアで撮像された画像を切り出して一時保存するとともに、前記撮像画像領域に順次撮像されている画像のうち前記分割手段によって分割された他の撮影エリアに対応する画像を撮影すべき画像として順次表示するよう前記表示手段を制御する制御手段と、この制御手段によって表示された状態で、前記他の撮影エリアに対応する画像についての撮影操作を検出する第２の検出手段と、この第２の検出手段によって撮影操作が検出されると、前記撮像画像領域に順次撮像されている画像のうち前記他の撮影エリアで撮像された画像を切り出すとともに、この切り出された画像と前記制御手段によって一時保存された一の撮影エリアの画像とを合成し、前記撮像画像領域で撮像された画像として前記表示手段に表示するよう制御する表示制御手段と、この表示制御手段によって合成された画像を記録する記録手段とを備える。
【０００７】
また、請求項２記載の発明にあっては、請求項１記載の発明において、前記境界線の移動の指示を検出する第３の検出手段と、この第３の検出手段によって移動指示された境界線の位置に応じて、前記分割手段による前記撮影画像領域の分割を設定する設定手段とを更に備える。
【０００９】
また、請求項３記載の発明にあっては、請求項１又は２記載の発明において、前記制御手段は、前記分割手段によって分割された他の撮影エリアに対応する画像を撮影すべき画像として順次表示するとともに、前記一時保存した画像を前記一の撮影エリアに表示するよう前記表示手段を制御する。
【００１１】
また、請求項４記載の発明にあっては、請求項１乃至３のいずれか記載の発明において、前記制御手段は、前記撮像画像領域に順次撮像されている画像のうち前記一の撮影エリアで撮像された画像を順次切り出して複数のコマからなる動画として一時保存するとともに、前記表示制御手段は、前記撮像画像領域に順次撮像されている画像のうち前記他の撮影エリアで撮像された画像を順次切り出して複数のコマからなる動画を生成するともに、この生成された動画と前記制御手段によって一時保存された一の撮影エリアの動画とを合成する。
【００１３】
また、請求項５記載の発明にあっては、請求項４記載の発明において、前記一の撮影エリアに対応する画像についての撮影終了を検出する第４の検出手段と、前記第１の検出手段による撮影操作の検出から前記第４の検出手段による撮影終了の検出までの時間を動画の撮影時間として記憶する撮影時間記憶手段と、前記第２の検出手段による撮影操作の検出の後、前記撮影時間記憶手段に記憶された撮影時間に達すると、前記他の撮影エリアに対応する画像についての撮影を終了するよう制御する撮影制御手段とを更に備える。
【００１５】
前記課題を解決するために請求項６記載の発明にあっては、撮像部の撮影画像領域を複数の撮影エリアに分割する分割ステップと、この分割ステップにて分割された状態を反映させた境界線を前記撮影画像領域で順次撮像される画像とともに表示部に表示させる第１の制御ステップと、この第１の制御ステップにて順次表示されている画像のうち、前記分割ステップにて分割された一の撮影エリアに対応する画像についての撮影操作を検出する第１の検出ステップと、この第１の検出ステップにて撮影操作が検出されると、前記撮像画像領域に順次撮像されている画像のうち前記一の撮影エリアで撮像された画像を切り出して第１のメモリに一時保存するとともに、前記撮像画像領域に順次撮像されている画像のうち前記分割ステップにて分割された他の撮影エリアに対応する画像を撮影すべき画像として前記表示部に順次表示するよう制御する第２の制御ステップと、この第２の制御ステップにて表示された状態で、前記他の撮影エリアに対応する画像についての撮影操作を検出する第２の検出ステップと、この第２の検出ステップにて撮影操作が検出されると、前記撮像画像領域に順次撮像されている画像のうち前記他の撮影エリアで撮像された画像を切り出すとともに、この切り出された画像と前記第２の制御ステップにて一時保存された一の撮影エリアの画像とを合成し、前記撮像画像領域で撮像された画像として前記表示部に表示するよう制御する第３の制御ステップと、この第３の制御ステップにて合成された画像を第２のメモリに記録する記録ステップとからなる。
【００１７】
前記課題を解決するために請求項７記載の発明にあっては、撮像部、表示部、第１のメモリ、及び、第２のメモリを具備する電子カメラが有するコンピュータを、前記撮像部の撮影画像領域を複数の撮影エリアに分割する分割手段、この分割手段によって分割された状態を反映させた境界線を前記撮影画像領域で順次撮像される画像とともに前記表示部に表示させる第１の制御手段、この第１の制御手段によって順次表示されている画像のうち、前記分割手段によって分割された一の撮影エリアに対応する画像についての撮影操作を検出する第１の検出手段、この第１の検出手段によって撮影操作が検出されると、前記撮像画像領域に順次撮像されている画像のうち前記一の撮影エリアで撮像された画像を切り出して前記第１のメモリに一時保存するとともに、前記撮像画像領域に順次撮像されている画像のうち前記分割手段によって分割された他の撮影エリアに対応する画像を撮影すべき画像として前記表示部に順次表示するよう制御する第２の制御手段、この第２の制御手段によって表示された状態で、前記他の撮影エリアに対応する画像についての撮影操作を検出する第２の検出手段、この第２の検出手段によって撮影操作が検出されると、前記撮像画像領域に順次撮像されている画像のうち前記他の撮影エリアで撮像された画像を切り出すとともに、この切り出された画像と前記第２の制御手段によって一時保存された一の撮影エリアの画像とを合成し、前記撮像画像領域で撮像された画像として前記表示部に表示するよう制御する第３の制御手段、この第３の制御手段によって合成された画像を前記第２のメモリに記録する記録手段として機能させる。
【００２９】
【発明の実施の形態】
以下、本発明の一実施の形態を図にしたがって説明する。
（第１の実施の形態）
図１は、本発明に係る電子カメラ１の概略構成を示すブロック図である。この電子カメラ１は静止画像だけでなく、静止画像を連続して撮影し、再生時にはそれら（コマ画像）を撮影順に表示することにより動画を再生可能とする動画撮影機能を備えたものであって、撮像手段であるＣＣＤ２とＤＳＰ／ＣＰＵ３とを有している。ＤＳＰ／ＣＰＵ３は、ＪＰＥＧ方式による画像のデータの圧縮・伸張を含む各種デジタル信号処理機能を有するとともに電子カメラ１の各部を制御するワンチップマイコンである。ＤＳＰ／ＣＰＵ３には、ＣＣＤ２を駆動するＴＧ（Timing Generator）４が接続されており、ＴＧ４には、ＣＣＤ２から出力される被写体の光学像に応じたアナログの撮像信号が入力するユニット回路５が接続されている。ユニット回路５は、入力した撮像信号を保持するＣＤＳと、その撮像信号を増幅するゲイン調整アンプ（ＡＧＣ）、増幅された撮像信号をデジタルの撮像信号に変換するＡ／Ｄ変換器（ＡＤ）から構成されており、ＣＣＤ２の出力信号はユニット回路５を経てデジタル信号としてＤＳＰ／ＣＰＵ３に送られる。
【００３０】
また、ＤＳＰ／ＣＰＵ３には、表示装置６、キー入力部７、時計部８が接続されるとともに、アドレス・データバス９を介してＤＲＡＭ１０、内蔵フラッシュメモリ１１、カード・インターフェイス１２が接続されている。また、カード・インターフェイス１２には、図示しないカメラ本体のカードスロットに着脱自在に装着されたメモリ・カード１３が接続されている。ＤＲＡＭ１０は、撮影待機モードの設定時にＣＣＤ２によって撮像され、デジタル化された被写体の画像データを一時保存するバッファであるとともに、ＤＳＰ／ＣＰＵ３のワーキングメモリとしても使用され、本発明の記憶手段として機能する。ＤＲＡＭ１０に一時保存された画像データは圧縮され、最終的にはメモリ・カード１３（画像記録手段）に記録される。内蔵フラッシュメモリ１１には、ＤＳＰ／ＣＰＵ３の動作プログラムや各部の制御に使用する各種データが記憶されており、ＤＳＰ／ＣＰＵ３は、前記動作プログラムに従い動作することにより本発明の合成手段、領域教示手段、制御手段として機能する。また、キー入力部７に含まれる各種の操作キーと共に領域設定手段として機能し、かつ時計部８と共にタイマ手段として機能する。
【００３１】
表示装置６はカラーＬＣＤとその駆動回路とを含み、撮影待機状態にあるときにはＣＣＤ２によって撮像された被写体画像をスルー画像として表示し、記録画像の再生時にはメモリ・カード１３から読み出され伸張された記録画像を表示する、本発明の表示手段である。キー入力部７は、シャッタキー、電源キー、モード選択キー、十字キー等の複数の操作キーを含み、使用者によるキー操作に応じたキー入力信号をＤＳＰ／ＣＰＵ３に出力する。時計部８は日付及び時刻をカウントするカレンダー機能と時計機能とを有しており、撮影動作時等に必要に応じて日付データ及び時刻データをＤＳＰ／ＣＰＵ３へ送る。
【００３２】
次に、以上の構成からなる電子カメラ１において、ユーザーによりツーショット撮影モードが選択されたときの動作を図２及び図３のフローチャートに従って説明する。なお、ここではユーザーが、例えば家族で観光地やテーマパーク、遊園地等へ出かけ、そこで記念撮影をする場合を想定し、その場合におけるユーザーの撮影手順を合わせて説明する。
【００３３】
まず、撮影者（一人目）はモード選択キーを操作することにより、ツーショット撮影モードを選択する。このモードが選択されると電子カメラ１は、図２に示したように、撮影待機状態となり、ＣＣＤ２により撮像した被写体像を表示装置６の画面上にスルー画像として表示した後（ステップＳＡ１）、図４（ａ）に示したようにスルー画像１０１に重ねて境界線Ｌを表示する（ステップＳＡ２）。この境界線Ｌは、スルー画像１０１を横方向に撮影対象エリアＡと非撮影エリアＢとに２分割する線であって、初期状態において、境界線Ｌを表示した右側が撮影対象エリアＡ、左側が非撮影エリアＢとなっている。また、図示しないが、実際には左右のどちらが撮影対象エリアＡであるのかを撮影者に示すため、例えば撮影対象エリアＡにそれを示す文字やマーク等を表示させたり、非撮影エリアＢの階調を落としたり、白黒画像として表示したり、あるいは撮影対象エリアＡの外周を囲う色付き枠を表示させたりする等の処理を、境界線Ｌの表示と合わせて行う。
【００３４】
かかる状態で、撮影者は、スルー画像１０１を見ながら所望の構図を決める。その際、撮影者は、後に自分がそのフレーム内に収まるべき場所を予め決め、それを念頭に置いて構図を決定する。次に、所定のキー操作を行うことにより、自分が収まるべき場所が前述した非撮影エリアＢとなるよう、撮影対象エリアＡと非撮影エリアＡとの領域を調整する。その間、電子カメラ１においては、ユーザーから十字キーの操作による境界線Ｌの移動指示があると（ステップＳＡ３でＹＥＳ）、境界線Ｌの表示位置を指示された方向（上下左右）へ移動させる（ステップＳＡ４）。ここで、本実施の形態においては、上記境界線Ｌとして、図４（ａ）に示したもの以外にも、後述するように図７（ａ）〜（ｅ）に示したような複数のパターンが用意されており、パターン毎に移動操作ができる方向が決められている。なお、図４（ａ）に示した境界線Ｌには左右方向のみの移動操作が許容され、また図７（ｅ）のパターンの境界線Ｌには上下方向のみの移動操作が許容されている。
【００３５】
また、電子カメラ１は、境界線Ｌを移動させた後、又はステップＳＡ３の判別結果がＮＯであって移動指示がなかったときには直ちに、境界線Ｌのパターン変更を指示するキー操作があるか否かを判別する（ステップＳＡ５）。そして変更指示があれば（ステップＳＡ５でＹＥＳ）、スルー画像１０１上に表示する境界線Ｌを他のパターンに変更する（ステップＳＡ６）。このときのパターン変更処理では、キー操作に応答して図７（ａ）〜（ｅ）に示した各パターンを順送りにスルー画像１０１上に切り替え表示する。つまり、図４（ａ）のように図７（ａ）のパターンを表示しているときには、それを図７（ｂ）のパターンに切り替えて画像１０１上に表示する。
【００３６】
引き続き、ユーザーにより撮影対象エリアＡの逆転が指示されたか否かを判別し（ステップＳＡ７）、逆転指示があったときには（ステップＳＡ７でＹＥＳ）、その時点におけるスルー画像１０１の撮影対象エリアＡを非撮影エリアとして設定し、逆に非撮影エリアＢを撮影対象エリアとして設定する（ステップＳＡ８）。さらに、ユーザーにより境界線Ｌのフリー設定が指示されたか否かを判別する（ステップＳＡ９）。ここで、フリー設定が指示されたときには（ステップＳＡ９でＹＥＳ）、十字キーを用いたカーソル操作を撮影者に行わせて、図８（ａ）及び同図（ｂ）に示したような、前述した規定の境界線Ｌ以外の自由境界線ＬＬを描かせ、スルー画像１０１に対して所望する形状での分割を行わせる（ステップＳＡ１０）。また、このときには、分割した２つのエリアのうちで撮影対象エリアとすべきエリアを選択させる。なお、上記の自由境界線ＬＬの描画は、例えば表示装置６がペン入力が可能なタッチパネルを備えた構成であれば、ペン入力によって行わせるようにしてもよい。
【００３７】
そして、電子カメラ１はシャッターキーによる撮影操作が行われるまで上述した動作を繰り返す（ステップＳＡ１１でＮＯ）。この間、電子カメラ１は撮影画像領域内で前記撮影対象エリアＡと前記非撮影エリアＢとを特定するためのエリア情報をＤＲＡＭ１０に記憶しており、ユーザーが境界線Ｌの位置変更（ステップＳＡ４）、境界線Ｌのパターン変更（ステップＳＡ６）、撮影対象エリアＡの逆転指示（ステップＳＡ８）、自由境界線ＬＬの描画（ステップＳＡ１０）のいずれかを行ったときには、その時点で前記エリア情報を逐次更新する処理を行う。
【００３８】
一方、撮影者は、前述したように所望の構図を決め、さらにその構図内の撮影対象エリアＡと非撮影エリアＢの領域調整を行ったら、シャッターキーを押して１回目の撮影を行い、この時点で前述したスルー画像１０１に写っていた家族に撮影を交代してもらい、自分は予め決めておいた場所、つまり非撮影エリアＢに対応する場所に移動する。
【００３９】
以下、先の撮影者が、図４（ａ）に示したスルー画像１０１が表示されているときシャッターキーを押したものとして、電子カメラ１の動作の続きを説明する。図３に示したように電子カメラ１は、上記のように撮影操作が行われたら（ステップＳＡ１１でＹＥＳ）、１枚目の画像の撮影処理を実行し、ＣＣＤ２により被写体像を取り込むとともに、前述したエリア情報により示される撮影対象エリアＡ（右側）に対応する図４（ｂ）に示した部分画像１０１ａのデータを切り出し、それをＤＲＡＭ１０に一時保存する（ステップＳＡ１２）。
【００４０】
次に、ここで一時保存した画像データに基づく撮影済みの部分画像を、表示装置６の画面上の撮影対象エリアＡ（右側）に表示しながら、当該部分画像が表示されない非撮影エリアＢ（左側）に、ＣＣＤ２により逐次取り込んだ被写体画像の非撮影エリアＢに対応する部分をスルー画像として表示し（ステップＳＡ１３）、それをシャッターキーによる撮影操作があるまで繰り返す（ステップＳＡ１４でＮＯ）。この間、次の撮影者は、図５（ａ）に示したように、表示装置６の画面左側のスルー画像１０２に前の撮影者を写しながら、その部分を、画面右側の直前に撮影された自分が写っている部分画像１０１ａに合わせるようにフレーミングを行う。つまり、表示装置６の画面左側だけをビューファインダとしてフレーミングを行う。そして、それができたらシャッターを押して２回目の撮影を行う。
【００４１】
一方、電子カメラ１は、２回目の撮影操作があったら（ステップＳＡ１４でＹＥＳ）、２枚目の画像の撮影処理を実行し、ＣＣＤ２により撮像した画像からスルー画像１０２として表示していた非撮影エリアＢ（左側）に対応する部分画像１０２ａを切り出す（ステップＳＡ１５）。引き続き、ここで切り出した部分画像１０２ａのデータと、ＤＲＡＭ１０に先に記憶されている部分画像１０１ａのデータ、つまり２回の撮影操作によって取得した画像データに基づき、部分画像１０１ａ，１０２ａの位置関係を保持したまま連結する合成処理を行い、図６に示したような合成画像１０３を生成する（ステップＳＡ１６）。そして、生成した合成画像のデータを圧縮するとともに、これを撮影画像としてメモリ・カード１３に記録し（ステップＳＡ１７）、撮影を完了する。
【００４２】
したがって、本実施の形態の電子カメラ１のユーザーは、ツーショット撮影モードでの撮影を行うことによって、その場に居合わせた第三者にシャッター操作を依頼したり、三脚を用いたりすることなく、簡単に記念集合写真を撮ることができる。しかも、最終的に記録される画像の画角が、通常の撮影モードで記録される画角と同じになるため、ユーザー（撮影者）は、１回目の撮影を行う時点で、自分で構図を決定することができる。したがって、ツーショット撮影モードにおいても、通常の撮影モードと同様の使い勝手を確保することができる。
【００４３】
なお、本実施の形態においては、１回目の撮影に先立ち表示するスルー画像１０１（図４（ａ）参照）に、撮影対象エリアＡと非撮影エリアＢとを区画する境界線Ｌを表示するようにしたが、前述したように非撮影エリアＢの階調を落としたり、白黒画像として表示したり、あるいは撮影対象エリアＡの外周を囲う色付き枠を表示させたりする等の処理により撮影者に撮影対象エリアＡを教える場合には、境界線Ｌの表示は省略可能である。また、その場合は、ステップＳＡ４における境界線の移動処理、及びステップＳＡ６における境界線のパターン変更処理は、撮影対象エリアＡと非撮影エリアＢの形状や範囲を変更する処理となる。
【００４４】
また、本実施の形態においては、１回目の撮影に際して表示装置６の画面上に、通常の撮影時と同様に被写体全体のスルー画像１０１を表示し、かつスルー画像１０１上に境界線Ｌを表示し撮影者に撮影対象エリアＡを教えることによって、被写体の配置を考えたフレーミングを行い易くしたが、これとは別に、撮影対象エリアＡのスルー画像のみを表示するようにしても構わない。その場合、使い勝手は若干劣るものの、撮影者はカメラ本体に設けられている光学式のビューファインダによって構図の全体像を確認することとなる。
【００４５】
また、１回目の撮影が終わってから２回目の撮影が行われるまでの間のステップＳＡ１３の処理では、１回目の撮影で取得した部分画像１０１ａを表示装置６の画面上の撮影対象エリアＡに表示しながら、画面上の非撮影エリアＢに、その時点のスルー画像１０２の対応する部分を表示し（図５（ａ）参照）、これにより当初に決められた構図に対応する適切なフレーミングを行い易くしたが、以下のようにしてもよい。例えば、その時点のスルー画像（全体）の撮影対象エリアＡに、１回目の撮影で得られた部分画像１０１ａを半透過状態で重畳表示するようにしてもよい。その場合には、次の撮影者が２回目の撮影を行うときの上記のフレーミングがより容易となる。
【００４６】
また、本実施の形態では、１枚目の画像の撮影処理（ステップＳＡ１２）においては、撮影対象エリアＡに対応する部分画像１０１ａを切り出し、そのデータのみをＤＲＡＭ１０に一時保存するようにしたが、その時点では、ＣＣＤ２により撮像した画像データ（被写体画像の全エリアの画像データ）をそのまま保存しておいてもよい。
【００４７】
また、撮影操作を２回に分けて行うツーショット撮影モードでの動作について説明したが、これに止まらず、３回以上に分けて撮影した被写体の各々の部分画像を合成して記録画像を生成する撮影モードを設けるようにしてもよい。そうした撮影モードでは、当初決めた構図の被写体を、図９（ａ）〜（ｃ）に示したような複数領域に分割するとともに、各領域に対応する部分画像を順に撮影させ、全ての部分画像を合成した画像を記録画像とすればよい。なお、図中の番号は撮影順の一例である。その場合、部分画像として撮影する領域の数や、各領域の形状、撮影順については、カメラ側で固定的に設定しておいたり、予め複数の候補を用意しておきユーザーに選択させたりしてもよい。また、それらの一部または全てをユーザーが必要に応じて設定できるようにしてもよい。また、動作に際しては、３回目や４回目以降の撮影待機状態で、本実施の形態と同様、それ以前の撮影で取得した部分画像を対応する領域に表示したスルー画像を表示装置６の画面上に表示させればよい。また、前述したツーショット撮影モード及び他の撮影モードでは、記念写真以外にも、例えば同一人物が同一風景内に複数存在するような写真を簡単に撮ることができる。
【００４８】
また、本実施の形態で説明したツーショット撮影モードでは、記念写真として合成される部分画像１０１ａ，１０２ａを連続して撮影させるようにしたが、次のような撮影モードを別に設けるようにしてもよい。すなわち、まず撮影対象領域Ａ側の部分画像を取得するための撮影を複数回行わせて異なる複数の部分画像を記憶しておき、次に、それらの部分画像を順にスルー画像上に表示させながら、各々に対応する非撮影領域Ｂ側の部分画像を取得するための撮影を行わせる。そして、スルー画像上に表示させた部分画像に対応する撮影操作に伴って非撮影領域Ｂ側の部分画像を取得する毎に、双方の部分画像を連結して合成し、合成後の画像を記録させる撮影モードや、さらには記録画像の合成及び記録を、非撮影領域Ｂ側の撮影が全て終了した時点で一括して行う撮影モードを設けてもよい。かかる撮影モードを使用すれば、構図が異なる記念写真や、同一の構図であっても内容が異なる記念写真を撮影するとき、撮影者を何度も交代する必要がなくなるため便利である。
【００４９】
また、１回目の撮影で取得する撮影対象領域Ａの部分画像１０１ａと、２回目の撮影で取得する非撮影対象領域Ｂの部分画像１０２ａとの一方または双方に、他方の領域に及ぶオーバーラップ分を予め確保しておき、ステップＳＡ１６で双方の部分画像１０１ａ，１０２ａに基づき記録画像１０３（記念写真）を合成するときには、上記オーバーラップ分を使用して、撮影者によるフレーミングの誤差等に起因する撮影対象領域Ａと非撮影対象領域Ｂとの境界部分の位置ズレを吸収する位置調整処理を行わせるようにしてもよい。
【００５０】
また、本実施の形態では、ＣＣＤ２により撮像した画像の一部分を切り出す（抽出する）ことにより部分的な画像データ（スルー画像、記録画像）を得るようにしたが、ＣＣＤ２が部分的な露光・読出が可能なものであれば部分的な撮像を行なわせることにより部分的な画像データ（スルー画像、記録画像）を得るようにしてもよい。
【００５１】
（第２の実施の形態）
次に、本発明の第２の実施の形態を説明する。本実施の形態は図１に示した構成と同様の構成を備えた電子カメラ１において、第１の実施の形態と異なるツーショット撮影モードでの動作を行わせるための制御プログラムが内蔵フラッシュメモリ１１に記憶されているものである。
【００５２】
以下、ユーザーによりツーショット撮影モードが選択されたときの電子カメラ１の動作を図１０のフローチャートに従いユーザーの撮影手順と合わせて説明する。
【００５３】
まず、撮影者（一人目）はモード選択キーを操作することにより、ツーショット撮影モードを選択する。このモードが選択されると電子カメラ１は、撮像処理を行い、ＣＣＤ２により被写体像を撮像してその画像データをＤＲＡＭ１０に取り込む（ステップＳＢ１）。次に、取り込んだ撮像画像データから、図１１に示したように、撮像した画像２０１における横方向の中央部分の所定領域（本実施の形態では、横方向のサイズが１／２の領域）２０２に対応する部分画像のデータを切り出し、それに基づく部分画像２０２ａを、図１２（ａ）に示したように表示装置６の画面右半分にスルー画像として表示し（ステップＳＢ２）、これをシャッターキーによる撮影操作があるまで繰り返す（ステップＳＢ３でＮＯ）。なお、このときスルー画像を表示しない表示装置６の画面左半分には、例えばツーショット撮影モードでの撮影手順を説明するガイダンスを表示させるようにしたり、また、構図の決定をより容易にするために画面左半分のうち表示可能な右半分にだけスルー画像を表示させるようにしてもよい。
【００５４】
一方、この間、撮影者は、例えばカメラ本体に設けられている光学式のビューファインダ等を用いて、同行した友人等が画面右側に位置する構図を決めるとともに、その構図の右半分に対応する画像がスルー画像として表示されるようにフレーミングを行う。そして、それができたらシャッターキーを押して１回目の撮影を行い、この時点でスルー画像に写っていた者に撮影を交代してもらい、自分は前記構図の左半分に対応する予め決めておいた場所に移動する。
【００５５】
一方、電子カメラ１は、上記のように撮影操作が行われたら（ステップＳＢ３でＹＥＳ）、１枚目の画像の撮影処理を実行し、ＣＣＤ２により被写体像を取り込むとともに、取り込んだ被写体像の画像データから前述した中央部分に対応する部分画像２０２ａのデータを切り出し、それを右半分の画像データとしてＤＲＡＭ１０に一時保存する（ステップＳＢ４）。引き続き、図１２（ｂ）に示したように、ここで保存した画像データ基づく撮影済みの部分画像２０２ａを表示装置６の画面右半分に表示しながら、画面左半分には、ＣＣＤ２から逐次取り込んだ被写体画像の前述した中央部分に対応する部分画像をスルー画像２０３として表示し（ステップＳＢ５）、それをシャッターキーによる撮影操作があるまで繰り返す（ステップＳＢ６でＮＯ）。
【００５６】
この間、次の撮影者は、表示装置６の画面左半分（スルー画像内）に前の撮影者を入れながら、その部分を、画面右半分の自分が写っている直前に撮影された部分画像２０２ａに合わせるようにフレーミングを行う。つまり、表示装置６の画面半分だけをビューファインダとしてフレーミングを行う。そして、それができたらシャッターキーを押して２回目の撮影を行う。
【００５７】
また、電子カメラ１は、２回目の撮影操作があったら（ステップＳＢ６でＹＥＳ）、２枚目の画像の撮影処理を実行し、ＣＣＤ２により被写体像を取り込み（ステップＳＢ７）、取り込んだ被写体像の画像データから前述した中央部分に対応する部分画像のデータを切り出し、これを左半分の画像データとするとともに、当該画像データとＤＲＡＭ１０に一時保存されている右半分の画像データとに基づき、１枚目の画像の中央部分と２枚目の画像の中央部分とを連結する合成処理を行い、図１２（ｃ）に示したような合成画像２０４を生成する（ステップＳＢ８）。そして、生成した合成画像２０４のデータを圧縮するとともに、これを撮影画像としてメモリ・カード１３に記録し（ステップＳＢ９）、撮影を完了する。
【００５８】
したがって、本実施の形態においても電子カメラ１のユーザーは、ツーショット撮影モードでの撮影を行うことによって、その場に居合わせた第三者にシャッター操作を依頼したり、三脚を用いたりすることなく、簡単に記念集合写真を撮ることができる。その結果、記念写真を撮影する場合における不便さから解放される。
【００５９】
これに加え、本実施の形態においては、１回目の撮影で取得する右半分の画像と、２回目の撮影で取得する左半分の画像とを、それぞれＣＣＤ２により撮像した被写体像の横方向の中央部分としたことから、記録画像として画質のより高い画像（記念写真）を得ることができる。これは、記録画像として合成する右半分と左半分の画像を、ＣＣＤ２がその外周部よりも集光効果が高い感光面の横方向の中央部分によって光電変換した画像信号に基づく画像としたことによる。特に、広角レンズ又はズームレンズの広角側を用いて背景に撮影場所の景色が大きく写った記念写真等を撮影するときには、ＣＣＤ２の感光面の外周部において、中央部分に対する集光効果の低下度合いがより大きくなり、しかもレンズによる光学像の歪みがより顕著となるため、上記効果が大である。
【００６０】
なお、本実施の形態においては、ツーショット撮影モードで分割して撮影する部分画像が、ＣＣＤ２により撮像する画像の右半分の画像と左半分の画像とに固定されているものとして説明したが、これに限らず、分割して撮影する部分画像については、例えば第１の実施の形態で図７に示したような、部分画像の各々の形状や大きさが互いに異なる画像としたり、図９に示したような被写体を３つ以上の領域に分割した画像としたりしてもよい。その場合においても、第２の実施の形態と同様の効果が得られる。また、それらを第１の実施と同様に、ユーザーが選択できたり、設定できたりするようにすれば、利便性が向上する。
【００６１】
また、最終的に記念写真として合成する部分画像（右半分と左半分の画像）を連続して撮影させることなく、先に右半分の画像を異なる構図に対応して複数回撮影させ、それらの画像に対応する左半分の画像を後から複数回撮影させ、互いに対応する右半分の画像と左半分の画像とが揃った時点で、または左半分の画像の撮影が全て終了した時点で一括して、画像を合成し記録させる撮影モードを設けてもよい。かかる撮影モードを用いれば、構図が異なる記念写真や、同一の構図であっても内容が異なる記念写真を撮影するとき、撮影者を何度も交代する必要がなくなるため便利である。
【００６２】
また、第１の実施の形態と同様に、右半分と左半分の一方または双方の画像に、他方の領域に及ぶオーバーラップ分を確保しておき、左右の部分画像を合成するとき、オーバーラップ分を使用して、撮影者によるフレーミングの誤差に起因する双方の画像の境界部分の位置ズレを吸収する位置調整処理を行わせるようにしてもよい。
【００６３】
また、１回目の撮影が終わってから２回目の撮影が行われるまでの間のステップＳＢ５の処理では、１回目の撮影で取得した部分画像２０２ａを表示装置６の画面上の右半分に表示しながら、画面上の左半分に、その時点のスルー画像２０３の対応する部分を表示し（図１２（ｂ）参照）、これにより当初に決められた構図に対応する適切なフレーミングを行い易くしたが、以下のようにしてもよい。例えば、画面右半分のうち表示可能な左半分にだけスルー画像を半透過状態で重畳表示させるようにしてもよい。その場合には、次の撮影者が２回目の撮影を行うときの上記のフレーミングがより容易となる。
【００６４】
また、本実施の形態では、ＣＣＤ２により撮像した画像の一部分を切り出す（抽出する）ことにより部分的な画像データ（スルー画像、記録画像）を得るようにしたが、ＣＣＤ２が部分的な露光・読出が可能なものであれば部分的な撮像を行なわせることにより部分的な画像データ（スルー画像、記録画像）を得るようにしてもよい。
【００６５】
（第３の実施の形態）
次に、本発明の第３の実施の形態を説明する。本実施の形態は、図１に示した構成と同様の構成を備えた電子カメラ１において、後述するツーショット動画撮影モードでの動作を行わせるための制御プログラムが内蔵フラッシュメモリ１１に記憶されているものである。
【００６６】
以下、ユーザーによりツーショット動画撮影モードが選択されたときの電子カメラ１の動作を図１３のフローチャートに従って説明する。なお、ここでは、ある場所でそこに居る２以上の人物の双方が写った動画を撮影する場合を想定し、その場合におけるユーザーの撮影手順を合わせて説明する。
【００６７】
まず、撮影者（一人目）はモード選択キーを操作することにより、ツーショット動画撮影モードを選択する。このモードが選択されると、電子カメラ１は分割領域設定処理を実行する（ステップＳＢ１）。この処理は、第１の実施の形態において説明した図２のステップＳＡ１〜ＳＡ１０と同一の処理であって、表示装置６の画面上にスルー画像に境界線Ｌ（図４（ａ）参照）を表示するなどして、撮影者に撮影対象エリアと非撮影エリアとを設定させる。なお、詳細については第１の実施の形態と同様であるため説明を省略する。
【００６８】
撮影者は、ここで所定のキー操作により、これから撮影する動画の画面における撮影対象エリアと非撮影エリアとを決める準備作業を行う。以下、撮影者が画面を左右に２分するように撮影対象エリアと非撮影エリアとを調整し、かつその右半分を撮影対象エリアとして設定したものとする。そして、準備ができたら、スルー画像の撮影対象エリア（右半分）に他の者を入れた状態でシャッターキーを押して１回目の動画撮影を開始する。
【００６９】
これに対し、電子カメラ１は、シャッターキーが押されたら（ステップＳＣ２でＹＥＳ）、時計部８による動画撮影時間の計測を開始するとともに（ステップＳＣ３）、１回目の動画撮影処理を実行し、ＣＣＤ２により被写体像を取り込むとともに、前記撮影対象エリアに対応する右半分の部分画像のデータを切り出し、その画像データをＤＲＡＭ１０に一時保存する（ステップＳＣ４）。そして、シャッターキーが押されている間においては（ステップＳＣ５でＹＥＳ）、動画撮影処理（所定の間隔で静止画撮影処理）を繰り返して実行することにより、ＤＲＡＭ１０に、図１４（ａ）に示したような前記撮影対象エリアに対応するとともに内容が異なる複数枚の静止画３０１ａのデータからなる動画データを蓄積する。しかる後、撮影者は任意の時点でシャッターキーを押すのをやめて撮影操作を終了し、もう一人の者と撮影を交代する。
【００７０】
また、電子カメラ１は、撮影操作が終了したら（ステップＳＣ５でＮＯ）、動画撮影時間の計測を終了して（ステップＳＣ６）、計測した動画撮影時間をＤＲＡＭ１０に記憶する（ステップＳＣ７）。次に、ステップＳＣ４で記憶しておいた動画データのうちの１枚目（１コマ目）の静止画データを読み出し、図１４（ｂ）に示すように、それに基づく部分画像であって交代した撮影者が写っている画像３０１ａを、それが対応する表示装置６の画面上の撮影対象エリア（右半分）に表示するとともに、画面上の非撮影エリア（左半分）に、ＣＣＤ２により取り込んだ画像における非撮影エリアに対応する部分画像をスルー画像３０２として表示する（ステップＳＣ８）。そして、交代した撮影者によりシャッターキーが押されるまで、ステップＳＣ８の処理を繰り返し行う（ステップＳＣ９でＮＯ）。そして、交代した撮影者は、かかる状態でシャッターキーを押して２回目の動画撮影を開始し、スルー画像３０２に前の撮影者が入るようにフレーミングを行いながら撮影を行う。
【００７１】
電子カメラ１は、シャッターキーが押されたら（ステップＳＣ９でＹＥＳ）、時計部８による動画撮影時間の計測を開始するとともに（ステップＳＣ１０）、２回目の動画撮影処理を実行し、ＣＣＤ２により被写体像を取り込むとともに、前記非撮影エリアに対応する左半分の部分画像のデータを切り出し、その画像データをＤＲＡＭ１０に一時保存する（ステップＳＣ１１）また、この間においては画面上の非撮影エリア（左半分）その時点のスルー画像３０２の対応する部分を表示しながら、画面上の撮影対象エリア（右半分）には、１回目の動画撮影で取得した複数枚の静止画３０１ａのデータからなる動画データを表示させる。そして、時計部８により計測中の動画撮影時間が、ＤＲＡＭ１０に記憶してある１回目の動画撮影時間に達するまで（ステップＳＣ１２でＮＯ）、動画撮影処理を繰り返して実行し、ＤＲＡＭ１０に、図１４（ｃ）に示したような前記非撮影エリアに対応する内容が異なる複数枚の静止画３０２ａのデータからなる動画データを蓄積する。
【００７２】
しかる後、電子カメラ１は、計測中の動画撮影時間が１回目の動画撮影時間を経過したら（ステップＳＣ１２でＹＥＳ）、動画像合成処理を実行する。すなわち、ＤＲＡＭ１０に記憶されている、１回目の動画撮影で蓄積した撮影対象エリア（右半分）側の各静止画像３０１ａのデータと、２回目の動画撮影で蓄積した撮影対象エリア（左半分）側の各静止画像３０２ａのデータとを順次読み出すとともに、互いに対応するコマの静止画を連結して動画の各コマを構成する静止画とする合成処理を行う（ステップＳＣ１３）。そして、ここで生成した図１４（ｄ）に示したような内容が異なる複数の静止画３０３ａのデータをそれぞれ圧縮するとともに、動画データとしてメモリ・カード１３に記録し（ステップＳＣ１４）、動画撮影を完了する。
【００７３】
したがって、本実施の形態の電子カメラ１のユーザーは、前述したツーショット動画撮影モードによって、動画撮影を行うことによって、その場に居合わせた者の全員（二人の人物）が写った動画を簡単に撮ることができる。
【００７４】
また、２回目の動画撮影時間を１回目の動画撮影時間以下に限定したことから、２回目の動画撮影に際して、最終的に記録する動画データの生成に不要な画像を無駄に撮影することがなく、メモリや電力の無駄な消費をなくすことができる。なお、これとは別に、２回目の動画撮影時間を特に限定せず、２回目の動画撮影時間が１回目の動画撮影時間よりも短いときには、その時間分の動画データを合成して記録させ、逆に長いときには、１回目の動画撮影時間分の動画データを合成して記録させるようにしてもよい。つまり２回目の動画撮影時間の長短に関係なく、対応する静止画３０１ａ，３０２ａが揃って蓄積されている分のコマ数の動画データを自動的に合成して記録させてもよい。
【００７５】
また、本実施の形態においては、１回目の動画撮影中に、撮像した画像データから撮影対象エリア（右半分）側のデータを抽出し、それを動画データとして蓄積しておき、同様に２回目の動画撮影中に、撮像した画像データから非撮影エリア（左半分）側のデータを抽出し、それを動画データとして蓄積するようにした。このため、例えば１回目及び２回目の動画撮影では撮像した画像データをそのまま蓄積しておき、その後、撮影対象エリア側のデータと非撮影エリア側のデータとを抽出しながら、記録用の動画データを合成する場合に比べ、最終的な動画データを生成する以前にＤＲＡＭ１０に確保するメモリ領域が少なくて済む。したがって、より長時間の動画撮影が可能となる。なお、常に長時間の動画撮影が行えるように、１回目及び２回目の動画撮影で得られる動画データ（複数の静止画データ）を、ＤＲＡＭ１０ではなくメモリ・カード１３に蓄積させるようにしても構わない。
【００７６】
また、２回目の動画撮影処理が終了した後、記録用の動画データを構成する各コマの静止画データを一括して合成するようにしたが、２回目の動画撮影処理（ステップＳＣ１１）に際して、非撮影エリアに対応する部分画像のデータを切り出したら、引き続きそれと対応する１回目の動画撮影処理で蓄積しておいた撮影対象エリアの静止画のデータを読み出し、この時点で逐次対応するデータから前記各コマの静止画データを合成して記憶させるようにしてもよい。
【００７７】
また、本実施の形態においても、第１及び第２の実施の形態で述べたように、１回目及び２回目の動画撮影に際して蓄積する複数の部分画像について、互いに対応する部分画像の一方または双方の画像に、他方の領域に及ぶオーバーラップ分を確保しておき、動画を構成する静止画を合成するとき、オーバーラップ分を使用して、撮影者によるフレーミングの誤差に起因した双方の画像の境界部分の位置ズレを吸収する位置調整処理を行わせるようにしてもよい。
【００７８】
また、２回目の動画撮影処理（ステップＳＣ１１）では、１回目の動画撮影で取得した複数枚の静止画３０１ａのデータからなる動画データを表示装置６の画面上の右半分に表示しながら、画面上の左半分に、その時点のスルー画像３０２の対応する部分を表示し（図１４（ｂ）参照）、これにより当初に決められた構図に対応する適切なフレーミングを行い易くしたが、以下のようにしてもよい。例えば、その時点のスルー画像を画面全体に表示させると同時に、１回目の動画撮影で得られた動画データを画面上の右半分に半透過状態で重畳表示するようにしてもよい。その場合には、次の撮影者が２回目の動画撮影を行うときの上記のフレーミングがより容易となる。
【００７９】
また、本実施の形態では、ＣＣＤ２により撮像した画像の一部分を切り出す（抽出する）ことにより部分的な動画データ（スルー画像、記録画像）を得るようにしたが、ＣＣＤ２が部分的な露光・読出が可能なものであれば部分的な撮像を行なわせることにより部分的な動画データ（スルー画像、記録画像）を得るようにしてもよい。
【００８０】
【発明の効果】
【００８１】
以上説明したように本発明によれば、撮影画像領域を複数の撮影エリアに分割して、この分割された状態を反映させた境界線を前記撮影画像領域で順次撮像される画像とともに表示する。そして、分割された一の撮影エリアに対応する画像についての撮影操作を検出すると、撮像画像領域に順次撮像されている画像のうち一の撮影エリアで撮像された画像を切り出して一時保存するとともに、撮像画像領域に順次撮像されている画像のうち分割された他の撮影エリアに対応する画像を撮影すべき画像として順次表示する。そして、この表示状態で他の撮影エリアに対応する画像についての撮影操作を検出すると、撮像画像領域に順次撮像されている画像のうち他の撮影エリアで撮像された画像を切り出すとともに、この切り出された画像と一時保存された一の撮影エリアの画像とを合成し、撮像画像領域で撮像された画像として前記表示部に表示し、記録するので、記念撮影を行う際の不便さを解消することができる。
【図面の簡単な説明】
【図１】本発明の第１、第２及び第３の実施の形態に共通する電子カメラのブロック図である。
【図２】第１の実施の形態におけるツーショット撮影モードでの動作を示すフローチャートである。
【図３】図２に続くフローチャートである。
【図４】（ａ）は、１回目の撮影待機状態における表示装置の表示画面、（ｂ）は撮影対象領域側の部分画像を示す図である。
【図５】（ａ）は、２回目の撮影待機状態における表示装置の表示画面、（ｂ）は非撮影領域側の部分画像を示す図である。
【図６】最終的に記録される合成画像を示す図である。
【図７】変更可能な境界線のパターン、及び変更操作時のパターンの遷移を示す図である。
【図８】使用者による自由境界線による撮影対象領域と非撮影領域との分割形態を示す図である。
【図９】合成する部分画像の領域分けの他の例を示す図である。
【図１０】第２の実施の形態におけるツーショット撮影モードでの動作を示すフローチャートである。
【図１１】撮像した画像において部分画像として使用される領域を示す図である。
【図１２】（ａ）は１回目の撮影待機状態における表示装置の表示画面、（ｂ）は２回目の撮影待機状態における表示装置の表示画面、（ｃ）は最終的に記録される合成画像を示す図である。
【図１３】第３の実施の形態におけるツーショット動画撮影モードでの動作を示すフローチャートである。
【図１４】撮影時に蓄積される動画データと、撮影後に記録される動画データ等を示す図である。
【符号の説明】
１    電子カメラ
２    ＣＣＤ
３    ＤＳＰ／ＣＰＵ
６    表示装置
７    キー入力部
８    時計部
１０    ＤＲＡＭ
１１    内蔵フラッシュメモリ
１３    メモリ・カード
【図１】
0004617417.tif 000002
【図２】
0004617417.tif 000003
【図３】
0004617417.tif 000004
【図４】
0004617417.tif 000005
【図５】
0004617417.tif 000006
【図６】
0004617417.tif 000007
【図７】
0004617417.tif 000008
【図８】
0004617417.tif 000009
【図９】
0004617417.tif 000010
【図１０】
0004617417.tif 000011
【図１１】
0004617417.tif 000012
【図１２】
0004617417.tif 000013
【図１３】
0004617417.tif 000014
【図１４】
0004617417.tif 000015